(57)【要約】【課題】回転２軸型携帯電話において、使用する無線部に応じて高いアンテナ利得を得ること。【解決手段】本発明は、第１筐体と、第２筐体と、第３筐体と、第１筐体と第２筐体とを一方の軸で回動自在に連結された第１ヒンジと、第２筐体と第３筐体とを一方の軸と直交する他方の軸で回転自在に連結する第２ヒンジと、を備えた携帯無線機であって、第３筐体に設けられた表示部と、第１筐体内に設けられた第１回路基板と、第３筐体内に設けられた第２回路基板と、第1回路基板上に配置された第１無線部と、第１無線部に接続された第１アンテナ素子と、第２回路基板上に配置された第２無線部と、第２無線部に接続された第２アンテナ素子と、をさらに備え、表示部が見えない状態で携帯無線機が閉じられている状態において、第１無線部は、第２無線部に比べて使用される頻度が高く、第１アンテナ素子は、第２アンテナ素子に比べて第１筐体から離れている。【選択図】図２
2011233996.tif 000002
【特許請求の範囲】
【請求項１】
第１筐体と、
第２筐体と、
第３筐体と、
前記第１筐体と前記第２筐体とを一方の軸で回動自在に連結された第１ヒンジと、
前記第２筐体と前記第３筐体とを前記一方の軸と直交する他方の軸で回転自在に連結する第２ヒンジと、を備えた携帯無線機であって、
前記第３筐体に設けられた表示部と、
前記第１筐体内に設けられた第１回路基板と、
前記第３筐体内に設けられた第２回路基板と、
前記第1回路基板上乃至第２回路基板上に配置された第１無線部と、
前記第１無線部に接続された第１アンテナ素子と、
前記第1回路基板上乃至第２回路基板上に配置された第２無線部と、
前記第２無線部に接続された第２アンテナ素子と、
をさらに備え、
前記表示部が見えない状態で前記携帯無線機が閉じられている状態において、前記第１無線部は、前記第２無線部に比べて使用される頻度が高く、前記第１アンテナ素子は、前記第２アンテナ素子に比べて前記第１筐体から離れていることを特徴とする携帯無線機。
【請求項２】
前記表示部が見える状態で前記携帯無線機が閉じられている状態において、前記第２無線部は、前記第１無線部に比べて使用される頻度が高く、前記第２アンテナ素子は前記第１アンテナ素子に比べ前記第１筐体から離れていることを特徴とする請求項１に記載の携帯無線機。
【請求項３】
前記第１アンテナ素子と前第２アンテナ素子は前記第３筐体内の端部において、
前記第２ヒンジから離間する側に配置されることを特徴とする請求項１乃至２に記載の携帯無線機。
【請求項４】
前記第１無線部および前記第１アンテナ素子は、Ｂｌｕｅｔｏｏｔｈを用途として使用し、
前記第２無線部および前記第２アンテナ素子は、無線ＬＡＮ（Ｗｉ−Ｆｉ）を用途として使用することを特徴とする請求項１乃至３のいずれか１項に記載の携帯無線機。
【発明の詳細な説明】
【技術分野】
【０００１】
本発明は、複数の無線システムが搭載された回転２軸型携帯無線機に関する。
【背景技術】
【０００２】
従来例１として、特許文献１では、以下の構成により、アンテナ内蔵部である上筐体３０１反転前後でアンテナ性能の維持を実現している。図３は、従来例１のアンテナの構成を示す図である。図３に示すように、平衡アンテナ３０３が上筐体３０１反転軸中心とした回転対称形とすることで、上筐体３０１反転前後で平衡アンテナ３０３と下筐体内金属３０２との間隔は変わらずアンテナ性能の維持が実現できる。
【０００３】
従来例２として、特許文献２では、以下の構成により、２種類の閉じた状態でアンテナ性能を良好に保持し、アンテナ性能の均一化を実現している。図４は、従来例２のアンテナの構成を示す図である。図４に示すように、表示部が見える閉じ状態と表示部が見えない閉じ状態の２種類の閉じ状態のいずれであるかを検知することで下筐体に設けた導電性部品４０２の位置を検知する検知部の結果に基づき、切替え部４００が、無線部と第１給電部４０３Ａ又は第２給電部４０３Ｂとの間の接続をいずれかに切り替えることで２種類の閉じた状態でアンテナ性能を良好に保持することができる。
【先行技術文献】
【特許文献】
【０００４】
【特許文献１】特開２００７−０１９８０８号公報
【特許文献２】特開２００７−０４９２１５号公報
【発明の概要】
【発明が解決しようとする課題】
【０００５】
しかしながら、特許文献１に開示されている平衡アンテナ３０３では、平衡アンテナ３０３の両端（３０３ａまたは３０３ｂ）の素子のうち一方の素子は必ず下筐体内金属３０２と近接するためアンテナ性能が劣化する。
【０００６】
また、図４に示す特許文献２に開示されているアンテナ４０１では、切替え部４００にスイッチが必要なためコストが高くなり部品の実装面積が拡大する。
【０００７】
本発明の目的は、複数の無線部を搭載した回転２軸型携帯無線機において、使用する無線部に応じて高いアンテナ利得を得ることである。
【課題を解決するための手段】
【０００８】
上記課題を解決するために、本発明の携帯無線機は、第１筐体と、第２筐体と、第３筐体と、前記第１筐体と前記第２筐体とを一方の軸で回動自在に連結された第１ヒンジと、前記第２筐体と前記第３筐体とを前記一方の軸と直交する他方の軸で回転自在に連結する第２ヒンジと、を備えた携帯無線機であって、前記第３筐体に設けられた表示部と、前記第１筐体内に設けられた第１回路基板と、前記第３筐体内に設けられた第２回路基板と、前記第1回路基板上乃至第２回路基板上に配置された第１無線部と、前記第１無線部に接続された第１アンテナ素子と、前記第1回路基板上乃至第２回路基板上に配置された第２無線部と、前記第２無線部に接続された第２アンテナ素子と、をさらに備え、前記表示部が見えない状態で前記携帯無線機が閉じられている状態において、前記第１無線部は、前記第２無線部に比べて使用される頻度が高く、前記第１アンテナ素子は、前記第２アンテナ素子に比べて前記第１筐体から離れているように構成した。
【０００９】
また、上記携帯無線機は、前記表示部が見える状態で前記携帯無線機が閉じられている状態において、前記第２無線部は、前記第１無線部に比べて使用される頻度が高く、前記第２アンテナ素子は前記第１アンテナ素子に比べ前記第１筐体から離れている。
【００１０】
また、上記携帯無線機は、前記第１アンテナ素子と前第２アンテナ素子は前記第３筐体内の端部において、前記第２ヒンジから離間する側に配置される。
【００１１】
また、上記携帯無線機は、前記第１無線部および前記第１アンテナ素子はＢｌｕｅｔｏｏｔｈを用途として使用し、前記第２無線部および前記第２アンテナ素子は無線ＬＡＮ（Ｗｉ−Ｆｉ）を用途として使用する。
【発明の効果】
【００１２】
本発明に係る携帯無線端末によれば、複数の無線部を搭載した回転２軸型携帯無線機において、使用する無線部に応じて高いアンテナ利得を得ることである。
【図面の簡単な説明】
【００１３】
【図１】回転２軸型携帯電話機１００の全体構成を示す図
【図２】回転２軸型携帯電話機１００の各状態におけるアンテナ素子の配置例（１）を示し、図２（ａ）は縦開き状態でのアンテナ素子の配置、図２（ｂ）は、閉じ状態でのアンテナ配置、図２（ｃ）は、ビューア状態でのアンテナ配置を示す図。
【図３】従来例１のアンテナ構成を示す図
【図４】従来例２のアンテナ構成を示す図
【発明を実施するための形態】
【００１４】
以下、本発明の実施形態について、図面を参照して説明する。
（実施の形態１）
本発明の実施の形態１に係る携帯無線端末の一例である回転２軸型携帯電話機１００（以下、携帯電話機１００という）について、図１および図２を参照して説明する。
【００１５】
本実施形態の携帯電話機１００は、第1筐体１０１と、第２筐体１０２と、第３筐体１０３と、を備える。
第１筐体の表面１０１Ａには、入力キー１１３および機能キー１１４を多数備えた操作部１１５が設けられている。
【００１６】
また、第３筐体の表面には、１０３Ａに表示部１１２が設けられている。
【００１７】
携帯電話機１００は、表示部１１２が見えない状態で、第1筐体１０１および第３筐体１０３が互いに重なり合う閉じ状態と、閉じ状態から第１回動軸１１（Ｙ軸）を中心として、第1筐体１０１に対して第２筐体１０２および第３筐体１０３が一体的に回動することによる開き状態と、第２回動軸１２（Ｚ軸）を中心として、第２筐体に対して第３筐体が回動し、表示部１１２が見える状態で第1筐体１０１および第３筐体１０３が互いに重なり合うビューア状態とが得られる。
【００１８】
第１ヒンジ部１０６は、第１筐体１０１と第２筐体１０２を連結するとともに、第１筐体１０１に対して第２筐体１０２が回動するための支軸部材である。
【００１９】
第１のヒンジ部１０６は、その軸線が前述した第１回動軸１１（Ｙ軸）に沿って配置され、第１筐体１０１の厚み方向に対して直交するとともに、下筐体１０１の短辺方向（幅方向）に沿って設けられている。
【００２０】
第２ヒンジ部１０７は、第２筐体１０２と第３筐体１０３とを連結するとともに、第１筐体１０１および第２筐体１０２に対して第３筐体１０３が回動するための支軸としての部材とされている。
【００２１】
第２ヒンジ部１０７は、その軸線が前述した第２回動軸１２（Ｚ軸）に沿って配置され、閉じおよびビューア時の上筐体１０２の厚み方向に対して直交するとともに、第３筐体１０３の長辺方向（長手方向）に沿って設けられている。
【００２２】
第２ヒンジ部１０７は、一端部が第２筐体１０２に連結され、他端部が第３筐体１０３に連結されている。従って、第３筐体１０３は、第２ヒンジ１０７により片持ち支持されている。
【００２３】
ここで、第１回動軸１１および第２回動軸１２とは、携帯電話機１００が閉じ状態から開き状態あるいはビューア状態に移行する際の第１筐体１０１および第３筐体１０３の回転中心線の方向を指す。
【００２４】
具体的には、第１回動軸１１は第1筐体１０１の厚み方向に対して直交するとともに第1筐体１０１の短辺方向（幅方向）に沿う方向（図中、Ｙ軸）とされている。また、第２回動軸１２は第３筐体１０３の厚み方向に対して直交するとともに第３筐体１０３の長辺方向（長手方向）に沿う方向（図中、Ｘ軸）とされている。これらの第１回動軸１１および第２回動軸１２は、互いに直交している。
【００２５】
なお、本発明において、第1ヒンジ部１０６および第２ヒンジ部１０７は、第1筐体１０１に対する第２筐体１０２および第３筐体１０３の回動、あるいは第２筐体１０２に対する第３筐体１０３の回動に伴って、第１ヒンジ１０６または第２ヒンジ１０７が軸まわりに回転する。
【００２６】
次に図２を参照して、本実施形態の携帯電話機１００において、本発明の特徴のひとつであるアンテナ配置について、説明する。図２は、携帯電話機１００の各状態におけるアンテナ素子の配置例を示す。図２（a）は、開き状態でのアンテナ素子の配置、図２（ｂ）は、閉じ状態でのアンテナ素子の配置、図２（ｃ）は、ビューア状態でのアンテナ素子の配置を示す。
【００２７】
図２に示すように、本実施形態の携帯電話機１００では第２回路基板１０５上に第１無線部と第２無線部の複数の無線システムが設けられている。第１無線部１０８は、第２無線部１１０に比べ閉じ状態において、主として動作するアプリケーションに対応している。また、第２無線部１１１は、第1無線部１０８に比べビューア閉じ状態において、主として動作するアプリケーションに対応している。なお、主として動作するとは、第１の無線部乃至第２の無線部に対応するアプリケーションの使用頻度が高いことを示す。例えば、各無線部の具体的なアプリケーションとして第１無線部１０８が、Ｂｌｕｅｔｏｏｔｈ、第２無線部１１１が、ＷＬＡＮ（Ｗｉ−Ｆｉ）の場合、Ｂｌｕｅｔｏｏｔｈは閉じ状態において、ワイヤレスイヤホンで音楽を聴く使用ケースが多い。一方、ＷＬＡＮは、ビューア閉じ状態において、表示部１１２を見ながらｗｅｂを参照する使用ケースが多く、閉じ状態における使用ケースは、Ｂｌｕｅｔｏｏｔｈに比べて少ない。
【００２８】
第１アンテナ素子１０９は、第２回路基板１０５の端部の第２ヒンジ部１０７から離間する側において、第１給電点１１６を介して第２回路基板１０５に接続されている。また、第２アンテナ素子１１０は、第２回路基板１０５の端部の第２ヒンジ部１０７と第1アンテナ素子１０９から離間する側において、第２給電点１１７を介して第２回路基板１０５に接続される。なお、図示していないが、第１回路基板１０４と第２回路基板１０５はその全面に亘ってグランドパターンが形成されている。また、第１給電点１１６の位置は第２回路基板１０５の端部の第２ヒンジ部１０７から離間する側に限定されるものではなく、第１給電点１１６の位置は第２回路基板１０５のどの位置でも配置可能である。第２給電点１１７の位置も第１給電点１１６の位置と同様に第２回路基板１０５のどの位置でも配置可能である。
【００２９】
各アンテナ素子は、略Ｌ字の形状を有している。なお、各アンテナ素子のグランドは、各アンテナ素子が接続されている回路基板のグランドパターンである。
【００３０】
図２（ｂ）に示すように、携帯電話機１００が閉じた状態において、第２回路基板１０５は、筐体厚み方向（Ｘ軸）で第１回路基板１０４と重なっている。第１アンテナ素子１０９は、第２アンテナ素子１１０に対し筐体厚み方向（Ｘ軸）で第１回路基板１０４から離間する側に配置されている。なお、第１アンテナ素子１０９の全体が第２アンテナ素子１１０に対し筐体厚み方向（Ｘ軸）で第１回路基板１０４から離間する側に配置されることが望ましいが、第１アンテナ素子１０９の一部が第２アンテナ素子１１０に比べ筐体厚み方向（Ｘ軸）で第１回路基板１０４から離間する側に配置されている場合でも高いアンテナ利得を得ることができる。
【００３１】
図２（ｃ）は、携帯電話機１００がビューアとした状態を示している。第２アンテナ素子１１０は、第１アンテナ素子１０９に対し筐体厚み方向（Ｘ軸）で第１回路基板１０４から離間する側に配置されている。なお、図２（ｂ）の場合と同様に第２アンテナ素子１１０の全体が第１アンテナ素子１０９に対し筐体厚み方向（Ｘ軸）で第１回路基板１０４から離間する側に配置されることが望ましいが、第２アンテナ素子１１０の一部が第１アンテナ素子１０９に比べ筐体厚み方向（Ｘ軸）で第１回路基板１０４から離間する側に配置されている場合でも高いアンテナ利得を得ることができる。
【産業上の利用可能性】
【００３２】
本発明は、携帯電話、ノートパソコン、携帯型ゲーム、携帯型オーディオ、デジタルカメラ、デジタルビデオカメラ、電子ブック、電子辞書、等々の回転２軸型の機構を備え、かつ、複数のアンテナを備える電子機器に利用可能である。
【符号の説明】
【００３３】
１１    第１回動軸
１２    第２回動軸
１００    回転２軸型携帯電話機
１０１    第１筐体
１０１Ａ    第１筐体表面
１０２    第２筐体
１０３    第３筐体
１０３Ａ    第３筐体表面
１０４    第１回路基板
１０５    第２回路基板
１０６    第１ヒンジ部
１０７    第２ヒンジ部
１０８    第1無線部
１０９    第１アンテナ素子
１１０    第２アンテナ素子
１１１    第２無線部
１１２    表示部
１１３    入力キー
１１４    機能キー
１１５    操作部
１１６    第１給電点
１１７    第２給電点
【図１】
2011233996.tif 000003
【図２】
2011233996.tif 000004
【図３】
2011233996.tif 000005
【図４】
2011233996.tif 000006